(57)【要約】【課題】ＰＡＬやＳＥＣＡＭ等のテレビジョン信号方式の信号フォーマットが設定された映像信号を処理する信号処理装置及び方法、放送受信システムにおいて、所定のデータ放送チャネルを受信した場合においても良好な録画状態を確保することができ、画面上のコンフリクト等を抑制した高画質の映像を提供する。【解決手段】ＲＧＢ信号又はビデオ信号を１組として選択された場合において、第２のラインを介して受信した映像信号につき制御情報が存在するものと識別した場合には、第２のラインを介して送受信する映像信号をＲＧＢ信号として設定し、また制御情報が存在しないものと識別した場合には、第２のラインを介して送受信する映像信号をビデオ信号として設定する。【選択図】  図１
2004320085.tif 000002
【特許請求の範囲】
【請求項１】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、
上記第２のラインを介して送受信する映像信号として、少なくともＲＧＢ信号又はビデオ信号を１組として選択し得る信号選択手段と、
上記信号設定手段により、ＲＧＢ信号又はビデオ信号を１組として選択された場合には、上記第２のラインを介して受信した映像信号につき、上記ＲＧＢ信号を制御するための制御情報の有無を識別する識別制御手段とを備え、
上記識別制御手段は、上記制御情報が存在するものと識別した場合には、上記第２のラインを介して送受信する映像信号をＲＧＢ信号として設定し、また上記制御情報が存在しないものと識別した場合には、上記第２のラインを介して送受信する映像信号をビデオ信号として設定すること
を特徴とする信号処理装置。
【請求項２】
上記識別制御手段により識別された制御情報の有無を問わずに、上記第２のラインを介して受信した映像信号のうちビデオ信号を上記記録媒体へ記録する記録手段をさらに備えること
を特徴とする請求項１記載の信号処理装置。
【請求項３】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、
少なくとも上記チューナから供給される映像信号のチャネルを判別する判別制御手段とを備え、
上記判別制御手段は、上記映像信号が上記所定のデータ放送チャネルであると判別した場合には、上記第２のラインを介して送信する映像信号をビデオ信号として設定すること
を特徴とする信号処理装置。
【請求項４】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、
上記第２のラインを介して送信する映像信号として、少なくともＳ−ビデオ信号、或いはビデオ信号のうち何れかを選択し得る信号選択手段と、
上記第２のラインを介して受信した映像信号につき、少なくとも上記ＲＧＢ信号を制御するための制御情報の有無を識別し、上記制御情報が存在するものと識別した場合には、上記転送する映像信号を輝度信号で構成するように制御する映像信号処理手段とを備えること
を特徴とする信号処理装置。
【請求項５】
上記映像信号処理手段は、上記チューナから供給される映像信号が上記所定のデータ放送チャネル以外であると判別した場合のみ、当該映像信号に対し上記所定の処理を実行すること
を特徴とする請求項４記載の信号処理装置。
【請求項６】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、
上記第１のラインを介して、或いは自身のチューナから供給される映像信号を制御するための映像制御情報、並びに、上記第２のラインを介して受信した映像信号につき少なくとも上記ＲＧＢ信号を制御するための制御情報の有無を識別する識別制御手段を備え、
上記識別制御手段は、上記識別結果に応じて、上記映像信号から当該制御情報を切り捨ててこれを上記第１のラインを介して転送すること
を特徴とする信号処理装置。
【請求項７】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、
上記第２のラインを介して送受信する映像信号として、少なくともＲＧＢ信号又はビデオ信号を１組として選択し得る信号選択ステップと、
上記信号設定ステップにおいて、ＲＧＢ信号又はビデオ信号を１組として選択された場合には、上記第２のラインを介して受信した映像信号につき、上記ＲＧＢ信号を制御するための制御情報の有無を識別する識別制御ステップとを有し、
上記識別制御ステップでは、上記制御情報が存在するものと識別した場合には、上記第２のラインを介して送受信する映像信号をＲＧＢ信号として設定し、また上記制御情報が存在しないものと識別した場合には、上記第２のラインを介して送受信する映像信号をビデオ信号として設定すること
を特徴とする信号処理方法。
【請求項８】
上記識別制御ステップにおいて識別された制御情報の有無を問わずに、上記第２のラインを介して受信した映像信号のうちビデオ信号を上記記録媒体へ記録する記録ステップをさらに備えること
を特徴とする請求項７記載の信号処理方法。
【請求項９】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、
少なくとも上記チューナから供給される映像信号のチャネルを判別する判別制御ステップを有し、
上記判別制御ステップでは、上記映像信号が上記所定のデータ放送チャネルであると判別した場合には、上記第２のラインを介して送信する映像信号をビデオ信号として設定すること
を特徴とする信号処理方法。
【請求項１０】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、
上記第２のラインを介して送信する映像信号として、少なくともＳ−ビデオ信号、或いはビデオ信号のうち何れかを選択し得る信号選択ステップと、
上記第２のラインを介して受信した映像信号につき、少なくとも上記ＲＧＢ信号を制御するための制御情報の有無を識別し、上記制御情報が存在するものと識別した場合には、上記転送する映像信号を輝度信号で構成するように制御する映像信号処理ステップとを有すること
を特徴とする信号処理方法。
【請求項１１】
上記映像信号処理ステップでは、上記チューナから供給される映像信号が上記所定のデータ放送チャネル以外であると判別した場合のみ、当該映像信号に対し上記所定の処理を実行すること
を特徴とする請求項１０記載の信号処理方法。
【請求項１２】
電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、
上記第１のラインを介して、或いは自身のチューナから供給される映像信号を制御するための映像制御情報、並びに、上記第２のラインを介して受信した映像信号につき少なくとも上記ＲＧＢ信号を制御するための制御情報の有無を識別する識別制御ステップを有し、
上記識別制御ステップでは、上記識別結果に応じて、上記映像信号から当該制御情報を切り捨ててこれを上記第１のラインを介して転送すること
を特徴とする信号処理方法。
【請求項１３】
少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、
上記信号処理装置は、
上記第２のラインを介して送受信する映像信号として、少なくともＲＧＢ信号又はビデオ信号を１組として選択し得る信号選択手段と、
上記信号設定手段により、ＲＧＢ信号又はビデオ信号を１組として選択された場合には、上記第２のラインを介して受信した映像信号につき、上記ＲＧＢ信号を制御するための制御情報の有無を識別する識別制御手段とを備え、
上記識別制御手段により、上記制御情報が存在するものと識別した場合には、上記第２のラインを介して送受信する映像信号をＲＧＢ信号として設定し、また上記制御情報が存在しないものと識別した場合には、上記第２のラインを介して送受信する映像信号をビデオ信号として設定すること
を特徴とする放送受信システム。
【請求項１４】
上記信号処理装置は、上記識別制御手段により識別された制御情報の有無を問わずに、上記第２のラインを介して受信した映像信号のうちビデオ信号を上記記録媒体へ記録する記録手段をさらに備えること
を特徴とする請求項１３記載の放送受信システム。
【請求項１５】
少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、
上記信号処理装置は、
少なくとも上記チューナから供給される映像信号のチャネルを判別する判別制御手段とを備え、
上記判別制御手段により、上記映像信号が上記所定のデータ放送チャネルであると判別した場合には、上記第２のラインを介して送信する映像信号をビデオ信号として設定すること
を特徴とする放送受信システム。
【請求項１６】
少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、
上記信号処理装置は、
上記第２のラインを介して送信する映像信号として、少なくともＳ−ビデオ信号、或いはビデオ信号のうち何れかを選択し得る信号選択手段と、
上記第２のラインを介して受信した映像信号につき、少なくとも上記ＲＧＢ信号を制御するための制御情報の有無を識別し、上記制御情報が存在するものと識別した場合には、上記転送する映像信号を輝度信号で構成するように制御する映像信号処理手段とを備えること
を特徴とする放送受信システム。
【請求項１７】
上記信号処理装置は、上記チューナから供給される映像信号が上記所定のデータ放送チャネル以外であると判別した場合のみ、当該映像信号に対し上記所定の処理を実行すること
を特徴とする請求項１６記載の放送受信システム。
【請求項１８】
少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、
上記信号処理装置は、
上記第１のラインを介して、或いは自身のチューナから供給される映像信号を制御するための映像制御情報、並びに、上記第２のラインを介して受信した映像信号につき少なくとも上記ＲＧＢ信号を制御するための制御情報の有無を識別する識別制御手段を備え、
上記識別制御手段による上記識別結果に応じて、上記映像信号から当該制御情報を切り捨ててこれを上記第１のラインを介して転送すること
を特徴とする放送受信システム。
【発明の詳細な説明】
【０００１】
【発明の属する技術分野】
本発明は、本発明は、ＰＡＬ（Ｐｈａｓｅ  Ａｌｔｅｒｎａｔｉｏｎ  ｂｙ  Ｌｉｎｅ）やＳＥＣＡＭ（ＳＥｑｕｅｎｔｉａｌ  Ｃｏｕｌｅｕｒ  Ａ  Ｍｅｍｏｉｒｅ）等のテレビジョン信号方式の信号フォーマットが設定された映像信号を処理する信号処理装置及び方法、放送受信システムに関するものである。
【０００２】
【従来の技術】
近年において、大容量型光ディスクのひとつであるＤＶＤ（Ｄｉｇｉｔａｌ  Ｖｅｒｓａｔｉｌｅ  Ｄｉｓｃ）において、データの記録が可能なＤＶＤ−Ｒ（ＤＶＤ−Ｒｅｃｏｒｄａｂｌｅ）と、記録したデータの書き換えが可能なＤＶＤ−ＲＷ（ＤＶＤ−Ｒｅｗｒｉｔａｂｌｅ）及びＤＶＤ−ＲＡＭ（ＤＶＤ−Ｒａｎｄｏｍ  Ａｃｃｅｓｓ  Ｍｅｍｏｒｙ）等が提案されている。
【０００３】
このような光ディスクに動画を書き込む記録方式としては、Ｉｎｃｒｅｍｅｎｔａｌ  Ｒｅｃｏｒｄｉｎｇ方式（以下、ＩＮＣ方式という。）又はＲｅｓｔｒｉｃｔｅｄ  Ｏｖｅｒ  Ｗｒｉｔｅ方式（以下、ＲＯＷ方式という。）がある。ＩＮＣ方式は、主にＤＶＤ−Ｒ等に採用されており、シーケンシャルに動画を記録する方式であり、ＲＯＷ方式は、主にＤＶＤ−ＲＷ等に採用されており、ランダムに動画を記録する方式である。但し、ＲＯＷ方式においても、未記録領域にデータを記録する場合には、シーケンシャルに動画を記録する必要がある。これらＩＮＣ方式及びＲＯＷ方式においては、リードインよりも内周側に設けられたＲＭＡ（Ｒｅｃｏｒｄｉｎｇ  Ｍａｎａｇｅｍｅｎｔ  Ａｒｅａ）により、リザーブ等の光ディスクヘの処理が管理される。
【０００４】
このようなＩＮＣ方式やＲＯＷ方式を用いることにより、放送局から受信した映像信号を受信してテレビジョン受像機に表示させるとともに、これを光ディスクに記録することができる信号処理装置が提案されている。
【０００５】
特にＰＡＬやＳＥＣＡＭのテレビジョン信号方式の信号フォーマットが設定された映像信号を受信する場合には、光ディスクにこの映像信号を記録することができる信号処理装置に上記映像信号を、例えば特許文献１に示すようなデコード機能を備えるセットトップボックス（ｓｅｔ  ｔｏｐ  ｂｏｘ）を接続したいわゆる放送受信システムを構築することも可能となる。
【０００６】
図３は、例えばヨーロッパ諸国において普及している、双方向送受信を可能とするとともに多様なコンテンツをユーザに提供できるカナル・プラス・チャネル（Ｃａｎａｌ  Ｐｌｕｓ、登録商標、以下Ｃ＋チャネルという。）等を受信するための放送受信システム６を示している。このＣ＋チャネルでは、ビデオ信号とＲＧＢ信号を混合させた画像を生成して、これをユーザに対して表示することができる。
【０００７】
この放送受信システム６において、テレビジョン受像機７がチューナ７１を介してＣ＋チャネルの放送チャネルを受信した場合には、その映像信号を、Ｌｉｎｅ１を介して例えばＤＶＤプレーヤ等に代表される信号処理装置８に供給する。信号処理装置８は、このＬｉｎｅ１を介して供給された映像信号を、Ｌｉｎｅ３を介してデコーダ９へ送信する。デコーダ９では、Ｌｉｎｅ３を介して受信した映像信号につき復号化処理を施し、これを再びＬｉｎｅ３を介して信号処理装置８へ送信する。信号処理装置８は、この復号化された映像信号につきＡ／Ｄ変換し、さらにエンコードして光ディスク９５へ記録し、或いは、この映像信号につきＬｉｎｅ１を介してテレビジョン受像機７へ転送する。テレビジョン受像機７では、Ｌｉｎｅ１を介して転送されてきた映像信号を画面上に表示させることができる。
【０００８】
ちなみに、ユーザは、この信号処理装置８からＬｉｎｅ３を介して送信する映像信号として、少なくともＳ−ビデオ信号、或いはＲＧＢ信号／ビデオ信号（ＲＧＢ信号、ビデオ信号のうちいずれか１つ）のうち何れかを設定することができる。
【０００９】
【特許文献１】
特開２００１−１０３３８３号公報
【００１０】
【発明が解決しようとする課題】
しかしながら、上記従来の放送受信システム６により、Ｃ＋チャネルを受信する場合に、特にユーザによりＲＧＢ信号／ビデオ信号が選択された場合において、デコーダ９側からＬｉｎｅ３を介してビデオ信号とＲＧＢ信号が混合した状態で送信されるが、これをそのまま光ディスク９５に記録するとスクランブルがとれた状態で再生することができないという問題点がある。
【００１１】
また、上記従来の放送受信システム６により、Ｃ＋チャネルを受信する場合において、Ｌｉｎｅ３から信号処理装置８へＲＧＢ信号が入力されると、コンフリクトしてしまうという問題点もある。
【００１２】
また、上記従来の放送受信システム６により、Ｃ＋チャネル以外のチャネルを受信する場合において、信号処理装置８からＬｉｎｅ３を介して送受信する映像信号として、Ｓ−ビデオ信号が選択されているにも拘わらず、デコーダ９の接続環境等により、Ｌｉｎｅ３から信号処理装置８へＲＧＢ信号が入力される場合がある。また信号処理装置８における接続環境に応じて複雑なコード設定が求められる場合もあり、Ｌｉｎｅ３を介して送信する映像信号について、ユーザにより誤ってＲＧＢ信号が設定される場合もある。かかる場合においても上述したコンフリクトの原因となるため、これを抑制する必要もある。
【００１３】
更に、上記従来の放送受信システム６により、Ｃ＋チャネルを受信する場合において、信号処理装置８から各Ｌｉｎｅへの出力設定がＲＧＢ信号となっている場合に、これを制御するための制御情報（以下、Ｉｃｏｎｔという。）も付加される。このとき、Ｌｉｎｅ３を介してデコーダ９から信号処理装置８へ送信される映像信号にＩｃｏｎｔが付加されていた場合に、信号処理装置８内でこのＩｃｏｎｔが付加された状態の映像信号をそのままテレビジョン受像機７へ転送すると、ＲＧＢの抜けた状態で画面表示されて画質が劣化してしまうという問題点もある。
【００１４】
そこで、本発明は上述した問題点に鑑みて案出されたものであり、その目的とするところは、ＰＡＬやＳＥＣＡＭ等のテレビジョン信号方式の信号フォーマットが設定された映像信号を処理する信号処理装置及び方法、放送受信システムにおいて、所定のデータ放送チャネルを受信した場合においても良好な録画状態を確保することができ、画面上のコンフリクト等を抑制した高画質の映像を提供することができる信号処理装置及び方法、放送受信システムを提供することにある。
【００１５】
【課題を解決するための手段】
本発明を適用した信号処理装置は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、上記第２のラインを介して送受信する映像信号として、少なくともＲＧＢ信号又はビデオ信号を１組として選択し得る信号選択手段と、上記信号設定手段により、ＲＧＢ信号又はビデオ信号を１組として選択された場合には、上記第２のラインを介して受信した映像信号につき、上記ＲＧＢ信号を制御するための制御情報の有無を識別する識別制御手段とを備え、上記識別制御手段は、上記制御情報が存在するものと識別した場合には、上記第２のラインを介して送受信する映像信号をＲＧＢ信号として設定し、また上記制御情報が存在しないものと識別した場合には、上記第２のラインを介して送受信する映像信号をビデオ信号として設定する。
【００１６】
本発明を適用した信号処理装置は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、少なくとも上記チューナから供給される映像信号のチャネルを判別する判別制御手段とを備え、上記判別制御手段は、上記映像信号が上記所定のデータ放送チャネルであると判別した場合には、上記第２のラインを介して送信する映像信号をビデオ信号として設定する。
【００１７】
本発明を適用した信号処理装置は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、上記第２のラインを介して送信する映像信号として、少なくともＳ−ビデオ信号、或いはビデオ信号のうち何れかを選択し得る信号選択手段と、上記第２のラインを介して受信した映像信号につき、少なくとも上記ＲＧＢ信号を制御するための制御情報の有無を識別し、上記制御情報が存在するものと識別した場合には、上記転送する映像信号を輝度信号で構成するように制御する映像信号処理手段とを備える。
【００１８】
本発明を適用した信号処理装置は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理装置において、上記第１のラインを介して、或いは自身のチューナから供給される映像信号を制御するための映像制御情報、並びに、上記第２のラインを介して受信した映像信号につき少なくとも上記ＲＧＢ信号を制御するための制御情報の有無を識別する識別制御手段を備え、上記識別制御手段は、上記識別結果に応じて、上記映像信号から当該制御情報を切り捨ててこれを上記第１のラインを介して転送する。
【００１９】
本発明を適用した信号処理方法は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、上記第２のラインを介して送受信する映像信号として、少なくともＲＧＢ信号又はビデオ信号を１組として選択し得る信号選択ステップと、上記信号設定ステップにおいて、ＲＧＢ信号又はビデオ信号を１組として選択された場合には、上記第２のラインを介して受信した映像信号につき、上記ＲＧＢ信号を制御するための制御情報の有無を識別する識別制御ステップとを有し、上記識別制御ステップでは、上記制御情報が存在するものと識別した場合には、上記第２のラインを介して送受信する映像信号をＲＧＢ信号として設定し、また上記制御情報が存在しないものと識別した場合には、上記第２のラインを介して送受信する映像信号をビデオ信号として設定する。
【００２０】
本発明を適用した信号処理方法は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、少なくとも上記チューナから供給される映像信号のチャネルを判別する判別制御ステップを有し、上記判別制御ステップでは、上記映像信号が上記所定のデータ放送チャネルであると判別した場合には、上記第２のラインを介して送信する映像信号をビデオ信号として設定する。
【００２１】
本発明を適用した信号処理方法は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、上記第２のラインを介して送信する映像信号として、少なくともＳ−ビデオ信号、或いはビデオ信号のうち何れかを選択し得る信号選択ステップと、上記第２のラインを介して受信した映像信号につき、少なくとも上記ＲＧＢ信号を制御するための制御情報の有無を識別し、上記制御情報が存在するものと識別した場合には、上記転送する映像信号を輝度信号で構成するように制御する映像信号処理ステップとを有する。
【００２２】
本発明を適用した信号処理方法は、上述した問題点を解決するために、電子機器から第１のラインを介して、或いは自身のチューナから供給された所定のデータ放送チャネルの映像信号を第２のラインを介してデコーダに送信し、また上記デコーダにより復号化された上記映像信号を上記第２のラインを介して受信してこれを記録媒体へ記録し、又は上記第１のラインを介して上記電子機器へ転送する信号処理方法において、上記第１のラインを介して、或いは自身のチューナから供給される映像信号を制御するための映像制御情報、並びに、上記第２のラインを介して受信した映像信号につき少なくとも上記ＲＧＢ信号を制御するための制御情報の有無を識別する識別制御ステップを有し、上記識別制御ステップでは、上記識別結果に応じて、上記映像信号から当該制御情報を切り捨ててこれを上記第１のラインを介して転送する。
【００２３】
本発明を適用した放送受信システムは、上述した問題点を解決するために、少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、上記信号処理装置は、上記第２のラインを介して送受信する映像信号として、少なくともＲＧＢ信号又はビデオ信号を１組として選択し得る信号選択手段と、上記信号設定手段により、ＲＧＢ信号又はビデオ信号を１組として選択された場合には、上記第２のラインを介して受信した映像信号につき、上記ＲＧＢ信号を制御するための制御情報の有無を識別する識別制御手段とを備え、上記識別制御手段により、上記制御情報が存在するものと識別した場合には、上記第２のラインを介して送受信する映像信号をＲＧＢ信号として設定し、また上記制御情報が存在しないものと識別した場合には、上記第２のラインを介して送受信する映像信号をビデオ信号として設定する。
【００２４】
本発明を適用した放送受信システムは、上述した問題点を解決するために、少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、上記信号処理装置は、少なくとも上記チューナから供給される映像信号のチャネルを判別する判別制御手段とを備え、上記判別制御手段により、上記映像信号が上記所定のデータ放送チャネルであると判別した場合には、上記第２のラインを介して送信する映像信号をビデオ信号として設定する。
【００２５】
本発明を適用した放送受信システムは、上述した問題点を解決するために、少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、上記信号処理装置は、上記第２のラインを介して送信する映像信号として、少なくともＳ−ビデオ信号、或いはＲＧＢ信号／ビデオ信号のうち何れかを選択し得る信号選択手段と、上記第２のラインを介して受信した映像信号につき、少なくとも上記ＲＧＢ信号を制御するための制御情報の有無を識別し、上記制御情報が存在するものと識別した場合には、上記転送する映像信号を輝度信号で構成するように制御する映像信号処理手段とを備える。
【００２６】
本発明を適用した放送受信システムは、上述した問題点を解決するために、少なくとも所定のデータ放送チャネルの映像信号を受信した場合にこれを第１のラインを介して送信する電子機器と、上記映像信号を復号化するデコーダと、上記電子機器から第１のラインを介して、或いは自身のチューナから供給された映像信号を第２のラインを介して上記デコーダへ送信し、また上記デコーダにより復号化された映像信号を上記第２のラインを介して受信してこれを記録媒体へ記録し、又は上記第１のラインを介して上記電子機器へ転送する信号処理装置とを有する放送受信システムにおいて、上記信号処理装置は、上記第１のラインを介して、或いは自身のチューナから供給される映像信号を制御するための映像制御情報、並びに、上記第２のラインを介して受信した映像信号につき少なくとも上記ＲＧＢ信号を制御するための制御情報の有無を識別する識別制御手段を備え、上記識別制御手段による上記識別結果に応じて、上記映像信号から当該制御情報を切り捨ててこれを上記第１のラインを介して転送する。
【００２７】
【発明の実施の形態】
以下、本発明の実施の形態について図面を参照しながら詳細に説明する。
【００２８】
本発明は、例えば図１に示すようなＰＡＬ（Ｐｈａｓｅ  Ａｌｔｅｒｎａｔｉｏｎ  ｂｙ  Ｌｉｎｅ）やＳＥＣＡＭ（ＳＥｑｕｅｎｔｉａｌ  Ｃｏｕｌｅｕｒ  Ａ  Ｍｅｍｏｉｒｅ）のテレビジョン信号方式の信号フォーマットが設定された映像信号を受信する放送受信システム１０に適用される。この放送受信システム１０は、例えばテレビジョン受像機等のように、受信した各放送チャネルの映像信号に基づく映像を画面上に表示させる電子機器２と、映像信号を復号化するデコーダ４と、電子機器２からＬｉｎｅ１を介して供給された映像信号についてＬｉｎｅ３を介してデコーダ４へ送信し、またデコーダ４により復号化された映像信号につきＬｉｎｅ３を介して受信して、これをＤＶＤ−Ｒ（ＤＶＤ−Ｒｅｃｏｒｄａｂｌｅ）やＤＶＤ−ＲＷ（ＤＶＤ−Ｒｅｗｒｉｔａｂｌｅ）等の記録媒体８０へ記録し、又はＬｉｎｅ１を介して電子機器２へ転送する信号処理装置５とを備えている。
【００２９】
電子機器２は、アンテナを介して映像信号を受信するチューナ２１と、信号処理装置５から出力される制御信号（以下、ＣＴＲＬ信号という。）に応じて、チューナ２１から出力される映像信号、又はデコーダ４から信号処理装置５を介して送信される復号化された映像信号を切り替える入力切替部２２と、映像信号を画面上に表示させる表示部２３とを少なくとも備えている。
【００３０】
またデコーダ４は、Ｌｉｎｅ３を介して送信された映像信号を復号化する復号化処理部４１と、復号化処理部４１により復号化された映像信号につき、ＲＧＢ信号を制御するための制御情報（以下、Ｉｃｏｎｔという）を抽出する情報抽出部４２と、上記ＣＴＲＬ信号を生成する制御信号生成部４３とを備えている。
【００３１】
信号処理装置５は、例えば、記録媒体８０にデータ対してデータを記録し、又は記録媒体８０から読み出したデータを再生するいわゆるＤＶＤレコーダ等であり、Ｌｉｎｅ１を接続するためのＬ１用端子５１と、アンテナを介して放送局から映像信号を受信するチューナ５２と、Ｌｉｎｅ３を接続するためのＬ３用端子５３と、チューナ５２から供給される映像信号や、デコーダ４から供給される映像信号につきＡ／Ｄ変換処理を施すＡ／Ｄ変換部５４と、Ａ／Ｄ変換部５４によりディジタルデータに変換された映像信号を、例えば、ＭＰＥＧ（Ｍｏｖｉｎｇ  Ｐｉｃｔｕｒｅ  Ｅｘｐｅｒｔｓ  Ｇｒｏｕｐ）２方式に基づきデータ圧縮するデータ圧縮部５５と、記録媒体８０に対する映像信号の記録、読出処理を制御し、また光ディスク２のスピンドル駆動、光ピックアップのフォーカス駆動、トラッキング駆動、スレッド駆動を制御するドライブ制御部５６と、チューナ５２から出力される映像信号、或いはデコーダ４により復号化された映像信号を切り替えるスイッチ５０とを備えている。
【００３２】
またこの信号処理装置５は、再生時において記録媒体８０から読み出した映像信号を上述のＭＰＥＧ２方式等に対応させてデータ伸長するデータ伸張部５７と、電子機器２におけるコントラスト、明るさ等の各種表示調整を実行するためのＯＳＤ（Ｏｎ  Ｓｃｒｅｅｎ  Ｄｉｓｐｌａｙ）部５８と、上記ＯＳＤ部５８から出力される映像信号につきＤ／Ａ変換処理を施してアナログ化した映像信号を、Ｌｉｎｅ４を介して外部へ送信し、またはＬ１端子５１へ出力するＤ／Ａ変換部５９と、Ｌｉｎｅ３を介して送受信する信号を設定するための信号選択部６０と、上記各構成要素を制御するためのシステムコントローラ６１と、実行すべき制御プログラムを格納するＲＯＭ６２及びデータの蓄積や展開等に使用する作業領域としてのＲＡＭ６３を備えている。
【００３３】
ちなみに、ユーザは、信号選択部６０により各Ｌｉｎｅにつき送受信する映像信号として、少なくともＳ−ビデオ信号、或いはＲＧＢ信号／ビデオ信号（ＲＧＢ信号、ビデオ信号のうちいずれか１つ）のうち何れかを選択することができる。また、ユーザは、この信号選択部６０により、Ｌｉｎｅ３出力設定として、Ｓ  Ｖｉｄｅｏ  ／  Ｖｉｄｅｏを選択するようにしてもよい。ちなみに、この設定はチューナ５２で受信した信号に有効なのであり、Ｌｉｎｅ１から入ってきた信号はビデオ信号のままＬｉｎｅ３へ出力される場合もある。また、制御部６１は、この信号選択部６０における選択結果に応じて、又は自身の判断により、各Ｌｉｎｅを送受信する映像信号を設定することができる。
【００３４】
Ｌｉｎｅ１並びにＬｉｎｅ３は、映像信号に加えて、Ｉｃｏｎｔ、ＣＴＲＬ信号をそれぞれ異なる端子（以下、Ｐｉｎという）に割り当てて伝送することができるケーブルである。この各Ｐｉｎに割り当てられる信号の詳細については、例えば、ＢＲＩＴＩＳＨ  ＳＴＡＮＤＡＲＤ”Ｄｏｍｅｓｔｉｃ  ａｎｄ  ｓｉｍｉｌａｒ  ｅｌｅｃｔｒｏｎｉｃ  ｅｑｕｉｐｍｅｎｔ  ｉｎｔｅｒｃｏｎｎｅｃｔｉｏｎ  ｒｅｑｕｉｒｅｍｅｎｔｓ：Ｐｅｒｉｔｅｌｅｖｉｓｉｏｎ  ｃｏｎｎｅｃｔｏｒ”（ＢＳ  ＥＮ  ５００４９−１：１９９８ＢＳ  ６５５２：１９９８）に従うが、例えばＲＧＢ信号のうち、７ＰｉｎにはＢＬＵＥが、１１ＰｉｎにはＧＲＥＥＮが、更には１５Ｐｉｎには、ＲＥＤが割り当てられる。また、８Ｐｉｎは、ＣＴＲＬ信号の送受信に用いられ、１０Ｐｉｎは、Ｌｉｎｅ１を介して信号処理装置５へ供給される映像制御情報（以下、ＡＶｃｏｎｔという。）用に割り当てられる。更に、１６Ｐｉｎは、Ｉｃｏｎｔ用に割り当てられ、１９Ｐｉｎはビデオ信号の出力用に、２０Ｐｉｎはビデオ信号の入力用に割り当てられる。
【００３５】
更に、上述した各Ｐｉｎについて２種類の信号が割り当てられる場合もあり、例えば図２に示すように、７Ｐｉｎには、ＲＧＢ信号のＢＬＵＥの入出力に加えて、Ｙ／Ｃコンポーネント信号における色差信号の出力も割り当てられる。また、１５Ｐｉｎには、ＲＧＢ信号のＲＥＤの入出力に加えて、Ｙ／Ｃコンポーネント信号における色差信号Ｃの入力も割り当てられる。また、１９Ｐｉｎには、ビデオ信号の入力に加えて、Ｙ／Ｃコンポーネント信号における輝度信号Ｙの入力も割り当てられる。更に、２０Ｐｉｎでは、ビデオ信号の出力に加えて、Ｙ／Ｃコンポーネント信号における輝度信号Ｙの出力も割り当てられる。
【００３６】
ちなみに、上述の構成からなる放送受信システム１０は、例えばヨーロッパ諸国において普及している、双方向送受信を可能とするとともに多様なコンテンツをユーザに提供できるカナル・プラス・チャネル（Ｃａｎａｌ  Ｐｌｕｓ、登録商標、以下Ｃ＋チャネルという。）等を受信することができる。このＣ＋チャネルでは、ビデオ信号とＲＧＢ信号を混合させた画像を生成して、これをユーザに対して表示することができる。
【００３７】
この放送受信システム１０により、Ｃ＋チャネルを受信する場合について、ユーザにより信号選択部６０を介してＲＧＢ信号／ビデオ信号が選択された場合を例にとり説明をする。
【００３８】
電子機器２は、チューナ２１を介してＣ＋チャネルの映像信号を受信した場合に、これをＬｉｎｅ１を介して信号処理装置５へ供給する。信号処理装置５は、Ｌ１端子５１を介して入力される映像信号、又はチューナ５２を介して受信したＣ＋チャネルの映像信号を、Ｌ３端子５３並びにＬｉｎｅ３における１９Ｐｉｎを介してデコーダ４へ送信する。デコーダ４では、このＬｉｎｅ３を介して受信した映像信号につき、復号化処理部４１により復号化し、ビデオ信号に関しては、Ｌｉｎｅ３の２０Ｐｉｎを、またＲＧＢ信号に関してはＬｉｎｅ３の７，１１，１５Ｐｉｎを、更に情報抽出部４２を介して抽出されたＩｃｏｎｔに関しては、Ｌｉｎｅ３の１６Ｐｉｎを介して再び信号処理装置５へ送信する。
【００３９】
信号処理装置５における制御部６１では、このデコーダ４からＬｉｎｅ３並びにＬ３端末５３を介して上記各映像信号が入力された場合に、信号選択部６０における選択状況を確認する。その結果、ＲＧＢ信号／ビデオ信号が選択されたことを識別した場合には、入力された映像信号からＩｃｏｎｔの有無を識別する。
【００４０】
その結果制御部６１は、Ｉｃｏｎｔが存在するものと識別した場合には、Ｌｉｎｅ３を介して送受信する映像信号をＲＧＢ信号として再設定する。また、このＩｃｏｎｔが存在しないものと識別した場合には、Ｌｉｎｅ３を介して送受信する映像信号をビデオ信号として設定する。
【００４１】
即ち、本発明を適用した放送受信システムでは、ユーザが選択し得る映像信号の１つとしてＲＧＢ信号／ビデオ信号を１組として構成している。換言すれば、ユーザに対して表示されている選択枝は、あくまでＲＧＢ信号／ビデオ信号を１組であり、ＲＧＢ信号、ビデオ信号を別々に選ばせることができない。この理由の一つとして、上述の如く１つのＰｉｎについて２種類の信号が割り当てられる点も含まれている。このため、ＲＧＢ信号／ビデオ信号を１組として選択された場合であっても、Ｉｃｏｎｔが立てられていればＲＧＢ信号として、Ｉｃｏｎｔが立てられていなければ、ビデオ信号として処理することができる。即ち、Ｉｃｏｎｔは、ＲＧＢ信号に付加される性質上、Ｉｃｏｎｔが立てられていなければ、ＲＧＢ信号でないことを識別することが可能だからである。
【００４２】
また、本発明では、制御部６１により識別されたＩｃｏｎｔの有無を問わずに、Ｌｉｎｅ３を介して受信した映像信号からビデオ信号のみを記録媒体８０へ記録するようにしてもよい。即ち、この信号処理装置５において、デコーダ４からＬｉｎｅ３を介して受信した映像信号は、ＲＧＢ信号並びにビデオ信号が混合した状態で送信されるが、記録媒体８０にはビデオ信号のみ記録媒体８０へ記録するように制御することにより、両者間でスクランブルがとれた状態で再生することができる。
【００４３】
次に、この放送受信システム１０により、Ｃ＋チャネルをチューナ５２を介して受信する場合について、ユーザにより信号選択部６０を介してＲＧＢ信号／ビデオ信号が選択された場合を例にとり説明をする。
【００４４】
制御部６１は、チューナ５２から供給される映像信号のチャネルを識別する。このとき、制御部６１は、上記映像信号がＣ＋チャネルであると判別した場合には、Ｌｉｎｅ３を介して送受信する映像信号をビデオ信号として設定する。また、制御部６１による識別は、ユーザが設定画面上でＣ＋チャネルをＯｎに設定したときに、初めてスクランブル解除されることを含む。
【００４５】
即ち、信号処理装置５では、信号選択部６０により、少なくともＳ−ビデオ信号、或いはＲＧＢ信号／ビデオ信号のうち何れかを選択し得るが、この選択如何によらず、Ｃ＋チャネルが入力されてきた場合に上記設定を行うことにより、Ｌｉｎｅ３から信号処理装置６へＲＧＢ信号が入力されることによるコンフリクトを抑制することが可能となる。
【００４６】
次に、この放送受信システム１０により、Ｃ＋チャネル以外のチャネルを受信する場合について、信号処理装置８からＬｉｎｅ３を介して送信する映像信号として、Ｓ−ビデオ信号が選択された場合を例にとり説明をする。
【００４７】
信号処理装置５は、チューナ５２を介して入力される映像信号をＬ３端子５３並びにＬｉｎｅ３における１９Ｐｉｎを介して送信する。デコーダ４では、このＬｉｎｅ３を介して受信した映像信号につき、復号化処理部４１により復号化し、ビデオ信号に関しては、Ｌｉｎｅ３の２０Ｐｉｎを、またＲＧＢ信号に関してはＬｉｎｅ３の７，１１，１５Ｐｉｎを、更に情報抽出部４２により抽出したＩｃｏｎｔに関しては、Ｌｉｎｅ３の１６Ｐｉｎを介して再び信号処理装置５へ送信する。
【００４８】
信号処理装置５における制御部６１では、このデコーダ４からＬｉｎｅ３並びにＬ３端末５３を介して上記各映像信号が入力された場合に、信号選択部６０における選択状況を確認する。その結果、Ｓ−ビデオ信号が選択されたことを識別した場合には、入力された映像信号からＩｃｏｎｔの有無を識別する。
【００４９】
その結果制御部６１は、Ｉｃｏｎｔが存在するものと識別した場合には、Ｌｉｎｅ１を介して転送する映像信号を、色差信号Ｃを切り捨てた輝度信号Ｙのみで構成する。
【００５０】
これにより、Ｓ−ビデオ信号が選択されているにも拘わらず、デコーダ９の接続環境等により、Ｌｉｎｅ３から信号処理装置８へＲＧＢ信号が入力されても、ＲＧＢ信号の何れかとコンフリクトする色差信号成分を除去することができる。
【００５１】
なお、本発明では、上述の処理について、受信したチャネルがＣ＋チャネルであるか否かを問わず実行するようにしてもよい。
【００５２】
次に、この放送受信システム１０により、Ｃ＋チャネルを受信する場合について、信号処理装置８からＬｉｎｅ１を介してあるいは、チューナ５２を介して受信した映像信号からＡＶｃｏｎｔを識別する場合を例にとり説明をする。
【００５３】
信号処理装置５における制御部６１は、入力される映像信号からＡＶｃｏｎｔの有無を判別する。また制御部６１は、Ｌｉｎｅ３を介してデコーダ４から受信した映像信号につき、Ｉｃｏｎｔの有無を識別する。
【００５４】
その結果、制御部６１は、ＡＶｃｏｎｔが存在せず、且つＩｃｏｎｔが存在することを識別した場合に、この受信した映像信号からＩｃｏｎｔを切り捨て、これをＬｉｎｅ１を介して電子機器へ転送する。
【００５５】
即ち、本発明を適用した放送受信システム１０では、各Ｌｉｎｅを介してＲＧＢ信号を送受信する場合には、同時にＩｃｏｎｔを立てるが、信号処理装置５が、Ｌｉｎｅ１を介してＲＧＢ信号を出力するように設定されていない場合においても、Ｌｉｎｅ３からＩｃｏｎｔの立てられたＲＧＢ信号が入力される場合がある。かかる場合に、信号処理装置８内でこのＩｃｏｎｔが付加された状態の映像信号をそのまま電子機器２へ転送すると、ＲＧＢの抜けた状態で画面表示され、画質が劣化してしまう。
【００５６】
このため、上述の如くＡＶｃｏｎｔに基づいて、設定環境、接続状況等を識別し、その識別結果に応じて、電子機器２へ転送するＲＧＢ信号に含まれているＩｃｏｎｔを切り捨てることにより、当該電子機器２においてＲＧＢが抜けた状態で画面表示されることを回避することができ、画質の劣化を防止することができる。
【００５７】
なお、本発明の実施の形態として、ＰＡＬやＳＥＣＡＭ等のテレビジョン信号方式におけるＣ＋チャネルを受信する場合を例にとり説明をしたが、これに限定されるものではなく、例えば、Ｃ＋チャネルを含む所定のデータ放送チャネルであっても同様の構成で上記動作を実行することができる。
【００５８】
また、上述したＲＧＢ信号、ビデオ信号、Ｓ−ビデオ信号に限定されるものではなく、これらの信号を含むいかなる上位概念の信号を各Ｌｉｎｅにつき設定してもよいことは勿論である。
【００５９】
【発明の効果】
即ち、本発明を適用した信号処理装置及び方法、放送受信システムでは、ＲＧＢ信号又はビデオ信号を１組として選択された場合において、第２のラインを介して受信した映像信号につき制御情報が存在するものと識別した場合には、第２のラインを介して送受信する映像信号をＲＧＢ信号として設定し、また制御情報が存在しないものと識別した場合には、第２のラインを介して送受信する映像信号をビデオ信号として設定する。
【００６０】
このため、ＲＧＢ信号又はビデオ信号を１組として選択された場合であっても、Ｉｃｏｎｔが立てられていればＲＧＢ信号として、Ｉｃｏｎｔが立てられていなければ、ビデオ信号として処理することができる。
【００６１】
また本発明を適用した信号処理装置及び方法、放送受信システムでは、供給される映像信号につき、所定のデータ放送チャネルであると判別した場合には、第２のラインを介して送信する映像信号をビデオ信号として設定する。
【００６２】
このため、第２のラインから信号処理装置へＲＧＢ信号が入力されることによるコンフリクトを抑制することが可能となる。
【００６３】
また本発明を適用した信号処理装置及び方法、放送受信システムでは、第２のラインを介して受信した映像信号につき、少なくともＲＧＢ信号を制御するための制御情報の有無を識別し、係る識別に応じて第１のラインを介して転送する上記映像信号を輝度信号で構成する。
【００６４】
このため、Ｓ−ビデオ信号が選択されているにも拘わらず、第２のラインから信号処理装置８へＲＧＢ信号が入力されても、ＲＧＢ信号の何れかとコンフリクトする色差信号成分を除去することができる。
【００６５】
さらに、本発明を適用した信号処理装置及び方法、放送受信システムでは、供給される映像信号を制御するための映像制御情報、並びに、第２のラインを介して受信した映像信号につき少なくとも上記ＲＧＢ信号を制御するための制御情報の有無を識別し、かかる識別結果に応じて、映像信号から当該制御情報を切り捨ててこれを第１のラインを介して転送する。
【００６６】
このため、識別結果に応じて、第１のラインを介して電子機器へ転送するＲＧＢ信号に含まれているＩｃｏｎｔを切り捨てることにより、当該電子機器においてＲＧＢが抜けた状態で画面表示されることを回避することができ、画質の劣化を防止することができる。
【図面の簡単な説明】
【図１】本発明を適用した放送受信システムの構成図である。
【図２】各Ｐｉｎについて２種類の信号が割り当てられる場合について説明するための図である。
【図３】従来における放送受信システムについて説明するための図である。
【符号の説明】
２  電子機器、４  デコーダ、５  信号処理装置、１０  放送受信システム、５０  スイッチ、５１  Ｌ１用端子、５２  チューナ５２、５３  Ｌ３用端子、５４  Ａ／Ｄ変換部、５５  データ圧縮部、５６  ドライブ制御部、５７  データ伸張部、５８  ＯＳＤ部、５９  Ｄ／Ａ変換部、６０  信号選択部、６１  制御部、６２  ＲＯＭ、６３  ＲＡＭ
【図１】
2004320085.tif 000003
【図２】
2004320085.tif 000004
【図３】
2004320085.tif 000005